【事件の表示】
　特許第２８３５２６８号「外壁パネルの目地防水構造」の請求項２に係る特許に対する特許異議の申立てについて、次のとおり決定する。
【結　論】
　訂正を認める。
　特許第２８３５２６８号の請求項２に係る特許を維持する。
【理　由】
第１　手続の経緯
  特許出願　　　　　　平成５年９月６日
  特許権設定登録　　　平成１０年１０月２日（特許第２８３５２６８号）
　特許異議の申立て　（異議申立人石井睦子）平成１１年３月３日
　取消理由通知　　　　平成１１年１１月１０日
　意見書及び訂正請求　平成１２年１月２８日
　　
第２　訂正請求について
　特許権者が求めている訂正の内容は、以下のとおりである。
Ａ　特許請求の範囲の欄
　特許請求の範囲の減縮を目的として、
　「【請求項２】面一状に隣接する外壁パネル（１）（１）間に形成した目地（６）内に、一次防水用のガスケット（７）が前記外壁パネル（１）の表面側から装填され、このガスケット（７）の裏面側を、前記外壁パネル（１）にそれぞれ取付けたバックガード（４）（４）と互いに圧接させることにより二次防水されている外壁パネルの目地防水構造において、前記バックガード（４）は、板状基部（４Ａ）とその目地（６）側に突出するリップ部（４Ｂ）とを備え、板状基部（４Ａ）が前記各外壁パネル（１）の目地（６）側端縁に形成された溝形の凹所（１８）に嵌装され、目地（６）側に突出する前記リップ部（４Ｂ）（４Ｂ）間にこれらが裏面側に弯曲するように前記ガスケット（７）が挿入され、このガスケット（７）裏面側の両側面に、裏面側に弯曲している前記各リップ部（４Ｂ）（４Ｂ）が圧接されていることを特徴とする外壁パネルの目地防水構造。」
を、
　「【請求項２】面一状に隣接する外壁パネル（１）（１）間に形成した目地（６）内に、一次防水用のガスケット（７）が前記外壁パネル（１）の表面側から装填され、このガスケット（７）の裏面側を、前記外壁パネル（１）にそれぞれ取付けたバックガード（４）（４）と互いに圧接させることにより二次防水されている外壁パネルの目地防水構造において、前記バックガード（４）は、板状基部（４Ａ）とその目地（６）側に突出するリップ部（４Ｂ）とを備え、板状基部（４Ａ）が前記各外壁パネル（１）の目地（６）側端縁に形成された溝形の凹所（１８）に嵌装され、前記ガスケット（７）は内部に芯材（１９）が埋入された中央基部（７Ａ）を裏面側に備え、目地幅（Ｗ）の半分以上の長さで目地（６）側に突出する前記リップ部（４Ｂ）（４Ｂ）間にこれらが裏面側に弯曲するように前記ガスケット（７）の中央基部（１８）が挿入され、このガスケット（７）裏面側の両側面に、裏面側に弯曲している前記各リップ部（４Ｂ）（４Ｂ）が圧接されていることを特徴とする外壁パネルの目地防水構造。」
と訂正する。
　　
Ｂ　発明の詳細な説明の欄
１、明りようでない記載の釈明を目的として、本件明細書の【０００８】欄を、次の通り訂正する。
　「【０００８】また、請求項２の発明は、面一状に隣接する外壁パネル１，１間に形成した目地６内に、一次防水用のガスケット７が前記外壁パネル１の表面側から装填され、このガスケット７の裏面側を、前記外壁パネル１にそれぞれ取付けたバックガード４，４と互いに圧接させることにより二次防水されている外壁パネルの目地防水構造において、前記バックガード４は、板状基部４Ａとその目地６側に突出するリップ部４Ｂとを備え、板状基部４Ａが前記各外壁パネル１の目地６側端縁に形成された溝形の凹所１８に嵌装され、前記ガスケット７は内部に芯材１９が埋入された中央基部７Ａを裏面側に備え、目地幅Ｗの半分以上の長さで目地６側に突出する前記リップ部４Ｂ，４Ｂ間にこれらが裏面側に弯曲するように前記ガスケットの中央基部７Ａが挿入され、前記ガスケット７裏面側の両側面に、裏面側に弯曲している前記リップ部４Ｂ，４Ｂが圧接されていることを特徴としている。」
　　
２、明りようでない記載の釈明を目的として、本件明細書の【００１０】欄を、次の通り訂正する。
　「【００１０】また、請求項２の発明によれば、ガスケット７は目地の一次防水を行い、バックガード４はガスケット７の裏面側で二次防水を行う。即ち、目地幅Ｗの半分以上の長さで突出しているバックガード４，４の各リップ部４Ｂ，４Ｂ間に、ガスケット７の裏面側に形成された内部に芯材１９を有する中央基部７Ａの挿入ヘッド７Ｈを挿入することにより、各リップ部４Ｂ，４Ｂがガスケット７の挿入ヘッド７Ｈにより弯曲され、その弾性によってガスケット７の裏面側に圧接されて二次防水が行われる。したがって、目地幅Ｗの変化に拘らず、ガスケット７とバックガード４との圧接状態が維持される。」
　　　
第３　訂正の適否について
Ａ　特許請求の範囲の訂正事項について
　この訂正は、願書に添付した明細書の特許請求の範囲の請求項２を、前記のとおりに訂正するものであり、特許請求の範囲の減縮を目的とするものである。
　そして、この訂正は、願書に添付した明細書又は図面に記載した事項の範囲内の訂正であって、実質上特許請求の範囲を拡張し、又は変更するものではない。
　　
Ｂ　発明の詳細な説明の訂正事項について
　前記訂正は、特許請求の範囲の訂正に伴う訂正であって、明りょうでない記載の釈明にあたり、そして、願書に添付した明細書又は図面に記載した事項の範囲内の訂正であって、さらに、実質上特許請求の範囲を拡張し、又は変更するものではない。
　　
Ｃ　独立特許要件について
１、当審で通知した取消理由通知で引用した刊行物
　刊行物１、実願平３−１０１７８４号（実開平５−４２４０５号）のＣＤ・ＲＯＭ（甲第４号証）
　刊行物２、実願昭５４−１３８４５４号（実開昭５６−５７３１９号）のマイクロフイルム（甲第２号証）
　刊行物３、実願平３−８４８９５号（実開平５−３０３０７号）のＣＤ・ＲＯＭ（甲第１号証）
　　　
　刊行物１には、
「【０００１】
【産業上の利用分野】本考案は、突き合わせて施工される壁面材間１１・１２の目地１３に押し込まれる板状基部１４の一端から板状蓋部１５が左右対称に突き出てＴ字形断面を形成すると共に、板状基部１４の左右各側面から左右対称に数条の舌片１６が突き出たガスケット１７に目地処理されるガスケット取付目地構造に関するものである。」（第３頁第２行〜第８行）、
「【０００７】
【課題を解決するための手段】本考案に係るガスケット取付目地構造は、かかる不都合を解消するものであり、板状蓋部１５を左右に分ける中央部から直角に突き出てＴ字形断面を形成する板状基部１４の左右各側面から左右対称に舌片１６の突き出たガスケット１７の当該板状基部１４を押し込んで塞がれた目地１３において、板状蓋部１５の幅ａが目地幅ｂよりも大きく、板状蓋部１５が目地溝縁１８を被覆しており、板状基部１４の先端が舌片１６の突き出ている部分より更に長く突き出ていて、その先端の左右側面が隆起した鉤部１９となっており、目地の左右側面２７からは、舌片１６の突き出ている部分から鉤部１９に至る板状基部１４の突出部２０の側面に向けて弾性鰭材２５が突き出ており、その弾性鰭材２５が板状基部１４の突出部２０の側面に圧接して突出部２０を挟み込んでおり、板状基部１４の先端の鉤部１９が左右の弾性鰭材間２５の隙間２６から突き出ていることを特徴とするものである。
【０００８】
【考案の効果】（１）本考案における目地構造では、板状蓋部１５の幅ａが目地幅ｂよりも大きく、板状蓋部１５が目地溝縁１８を広く被覆しているので、目地１３は、先ず第一に板状蓋部１５に防水され、第二には目地側面２７に弾性をもって圧接するガスケット１７の舌片１６に防水され、第三には目地側面２７から突き出て板状基部１４に弾性をもって圧接する鰭材２５によって防水されると言うように、二重三重に防水される。」（第４頁第３行〜第２４行）、
「【００１３】
　この点でガスケット１７は、左右の目地側面２７の間で板状基部１４が挟持されて固定され、又、目地側面２７の深さ寸法ｚが、外壁パネル２３の組立過程で生じる壁面材１１（１２）と鉄骨材２２との距離ｘによって変わることがない。」（第５頁第１７行〜第２０行）が記載されている。
　図面には、壁面材１１、１２が面一状に隣接する構成が記載されている。
　これらからみて、刊行物１には、「面一状に隣接する壁面材１１、１２間に形成した目地１３内に、（一次）防水用ガスケット１７が壁面材１１・１２の表面側から装填され、このガスケット１７の裏面側を、目地の左右側面２７にそれぞれ取付けた弾性鰭材２５と互いに圧接させることにより（二次）防水されている目地防水構造において、ガスケット１７の突出部２０が挿入され、このガスケット１７裏面側の両側面に、裏面側に湾曲している弾性鰭材２５が圧接されていることを特徴とする外壁パネル２３の目地防水構造。」（以下、「刊行物１に記載された発明」と言う。）が記載されているものと認める。
　刊行物２には、「第５図は本案の他の実施例であって、ガスケット３は上下に分離した別体のものによって構成され、構成材１のジョイント間隙２の奥側壁に凹設した係合溝２’に、外側の矢形突片４を係合して取付けると共に、上下ガスケット３の対面凹溝５に成型ゴムガスケット６を押込んでなる…ジョイント間隙２には内外のガスケット３，６を二重に介入すると共にガスケット３，６のジョイント部９，９′を齟齬せしめて構成したので万一外側ガスケット６のジョイント部９′より水又は空気が浸入しても内側ガスケット３によって遮断されるので水、気密は十分保たれる」（第３頁第１１行〜第４頁第３行）が記載されている。
　刊行物３には、
「【００１０】
　内側シール材７は、外壁下地材２の端部に被せる溝形部７ａに弾性ひれ状部７ｂを突設したものであり、弾性ひれ状部７ｂは先端を屋外側に湾曲させてある。溝形部７ａの両フランジ外面には、小ひれ部７ｃが突設してあり、各々外壁材５の内面、および柱６の外面に弾性的に圧接する。
【００１１】
外側シール材８は、内向きの略溝形に成形され、ウエブ部から両側に張り出して外壁材５の端部外面に被さるカバー片８ａを有すると共に、外壁材５の端部内面に係合する係合片８ｂと、外壁材５の端面に弾性的に圧接する小ひれ部８ｃとが設けられている。」（第４頁第２６行〜第５頁第６行）が記載されている。
　　
２、訂正後の請求項２に係る発明と、各刊行物との対比・判断
　訂正後の本件請求項２に係る発明と、刊行物１に記載された発明とを対比すると、両者は、「面一状に隣接する外壁パネル間に形成した目地内に、一次防水用のガスケットが前記外壁パネルの表面側から装填され、このガスケットの裏面側を、前記外壁パネルにそれぞれ取付けたバックガードと互いに圧接させることにより二次防水されている外壁パネルの目地防水構造において、目地側に突出する前記リップ部間にこれらが裏面側に弯曲するように前記ガスケットの中央基部が挿入され、このガスケット裏面側の両側面に、裏面側に弯曲している前記各リップ部が圧接されていることを特徴とする外壁パネルの目地防水構造。」の点で一致しており、次の各点で相違している。
相違点１、訂正後の請求項２に係る発明では、「バックガード（４）は、板状基部（４Ａ）とその目地（６）側に突出するリップ部（４Ｂ）とを備え」ているのに対し、刊行物１ではこれを備えていない点。
相違点２、訂正後の請求項２に係る発明では、「板状基部（４Ａ）が前記各外壁パネル（１）の目地（６）側端縁に形成された溝形の凹所（１８）に嵌装され」ているのに対し、刊行物１ではこれを備えていない点。
相違点３、訂正後の請求項２に係る発明では、「ガスケット（７）は内部に芯材（１９）が埋入された中央基部（７Ａ）を裏面側に備え、目地幅（Ｗ）の半分以上の長さで」、リップ部（４Ｂ）（４Ｂ）間に、中央基部が挿入されているのに対し、刊行物１ではこれを備えていない点。
　そこで、各相違点について検討すると、刊行物２には、相違点１に類似する発明が記載されているが、相違点２、３を示唆するものがみられない。又、刊行物３には、相違点２に類似する発明が記載されているが、相違点１、３を示唆するものがみられない。つまり、相違点３については、刊行物２及び刊行物３のいずれにもその記載がみられない。
　そして、全体として、訂正後の請求項２に係る発明は、相違点３により、明細書記載の所定の作用効果を奏するものと認められる。
　よって、訂正後の請求項２に係る発明は、刊行物１、２、３に記載された発明に基いて本件特許出願前に当業者が容易に発明をすることができた発明であるとすることはできない。
　従って、訂正後の請求項２に係る発明は、本件特許出願の際独立して特許を受けることができない発明ではない。
　　
Ｄ　訂正請求の適否についてのまとめ
　前記訂正請求は、特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、本件訂正請求による訂正を認める。
　　
第４　特許異議申立てについて
Ａ　特許異議申立ての理由の概要
　特許異議申立人は、
　証拠方法として、
　甲第１号証、実願平３−８４８９５号（実開平５−３０３０７号）のＣＤ・ＲＯＭ
　甲第２号証、実願昭５４−１３８４５４号（実開昭５６−５７３１９号）のマイクロフイルム
　甲第３号証、実願平１−１０５３２９号（実開平３−４７３３１号）のマイクロフイルム
　甲第４号証、実願平３−１０１７８４号（実開平５−４２４０５号）のＣＤ・ＲＯＭ
を提出し、
　「本件請求項２に係る発明は、本件出願前日本国内において頒布された甲第１、２、３、４号証に記載された発明に基いて、容易に発明をすることができた発明である。
　従って、本件請求項２に係る発明の特許は特許法第２９条第２項の規定に違反してされたものである。」という理由で、本件請求項２に係る発明の特許を取り消すべき旨主張している。
　　
Ｂ　甲第１、２、３、４号証に記載された発明
　甲第１、２、４号証には、前記「第３、Ｃ、１」に指摘した発明が記載されている。
　甲第３号証には、「少なくとも各先端部にそれぞれ内向きの折返し鈎状封止用舌片が突設されたほぼ¬形状断面のジョイナと、該ジョイナの対向端縁間の空間に施こされたコーキングと、該両サイディング材の端面間に、外部より圧入被覆されたほぼΠ形状断面を有する目地材とより成ることを特徴とするサイディング目地処理構造。」（第１頁第７行〜第１３行）が記載されている。
　　
Ｃ　訂正後の請求項２に係る発明と、甲第１、２、３、４号証に記載された発明との対比・判断
　訂正後の請求項２に係る発明と、甲第１、２、３，４号証に記載された発明とを対比すると、甲第１、２、４号証については、前記「第３、Ｃ、２」に記載したとおりであり、又、甲第３号証には、相違点１に類似する発明が記載されているが、相違点２、３を示唆するものがみられない。
　そして訂正後の請求項２に係る発明は、相違点３により明細書記載の所定の作用効果を奏するものと認められる。
　よって、訂正後の請求項２に係る発明は、甲第１、２、３、４号証に記載された発明に基いて、本件特許出願前に当業者が容易に発明をすることができた発明であるとすることはできない。
　　
第５　むすび
　以上のとおりであるから、特許異議申立人の主張する理由及び提出した証拠方法によっては、訂正後の請求項２に係る発明の特許を取り消すことはできず、また、他に訂正後の請求項２に係る発明の特許を取り消すべき理由を発見しない。
　　
　よって、結論のとおり決定する。
【異議決定日】
平成１３年２月２０日（２００１．２．２０）
【訂正の要旨】
　本件訂正は、特許請求の範囲の減縮、及び明りょうでない記載の釈明を目的として、願書に添付された明細書の記載を第１及び第２のように訂正するものである。
第１．特許請求の範囲の減縮を目的として、特許請求の範囲の請求項２の記載を、下記のように訂正する。
　「【請求項２】面一状に隣接する外壁パネル（１）（１）間に形成した目地（６）内に、一次防水用のガスケット（７）が前記外壁パネル（１）の表面側から装填され、このガスケット（７）の裏面側を、前記外壁パネル（１）にそれぞれ取付けたバックガード（４）（４）と互いに圧接させることにより二次防水されている外壁パネルの目地防水構造において、前記バックガード（４）は、板状基部（４Ａ）とその目地（６）側に突出するリップ部（４Ｂ）とを備え、板状基部（４Ａ）が前記各外壁パネル（１）の目地（６）側端縁に形成された溝形の凹所（１８）に嵌装され、前記ガスケット（７）は内部に芯材（１９）が埋入された中央基部（７Ａ）を裏面側に備え、目地幅（Ｗ）の半分以上の長さで目地（６）側に突出する前記リップ部（４Ｂ）（４Ｂ）間にこれらが裏面側に弯曲するように前記ガスケット（７）の中央基部（１８）が挿入され、このガスケット（７）裏面側の両側面に、裏面側に弯曲している前記各リップ部（４Ｂ）（４Ｂ）が圧接されていることを特徴とする外壁パネルの目地防水構造。」
第２．明りょうでない記載の釈明を目的として、【発明の詳細な説明】の、【０００８】、及び【００１０】の記載を、下記１、２のように訂正する。
１、「【０００８】また、請求項２の発明は、面一状に隣接する外壁パネル１，１間に形成した目地６内に、一次防水用のガスケット７が前記外壁パネル１の表面側から装填され、このガスケット７の裏面側を、前記外壁パネル１にそれぞれ取付けたバックガード４，４と互いに圧接させることにより二次防水されている外壁パネルの目地防水構造において、前記バックガード４は、板状基部４Ａとその目地６側に突出するリップ部４Ｂとを備え、板状基部４Ａが前記各外壁パネル１の目地６側端縁に形成された溝形の凹所１８に嵌装され、前記ガスケット７は内部に芯材１９が埋入された中央基部７Ａを裏面側に備え、目地幅Ｗの半分以上の長さで目地６側に突出する前記リップ部４Ｂ，４Ｂ間にこれらが裏面側に弯曲するように前記ガスケットの中央基部７Ａが挿入され、前記ガスケット７裏面側の両側面に、裏面側に弯曲している前記リップ部４Ｂ，４Ｂが圧接されていることを特徴としている。」
２、「【００１０】また、請求項２の発明によれば、ガスケット７は目地の一次防水を行い、バックガード４はガスケット７の裏面側で二次防水を行う。即ち、目地幅Ｗの半分以上の長さで突出しているバックガード４，４の各リップ部４Ｂ，４Ｂ間に、ガスケット７の裏面側に形成された内部に芯材１９を有する中央基部７Ａの挿入ヘッド７Ｈを挿入することにより、各リップ部４Ｂ，４Ｂがガスケット７の挿入ヘッド７Ｈにより弯曲され、その弾性によってガスケット７の裏面側に圧接されて二次防水が行われる。したがって、目地幅Ｗの変化に拘らず、ガスケット７とバックガード４との圧接状態が維持される。」
（５４）【発明の名称】
外壁パネルの目地防水構造
（５７）【特許請求の範囲】
　　【請求項１】　面一状に隣接する外壁パネル（１）（１）間に形成した目地（６）内に、一次防水用のガスケット（７）が前記外壁パネル（１）の表面側から装填され、このガスケット（７）の裏面側が、前記外壁パネル（１）にそれぞれ取り付けたバックガード（４）を互いに圧接させることにより二次防水されている外壁パネルの目地防水構造において、
　前記各バックガード（４）（４）は、断面形状が前記目地（６）側に凸の湾曲片状を呈し、かつその断面基端部が前記外壁パネル（１）の目地（６）側端縁裏面側にそれぞれ固着され、当該各バックガード（４）（４）は、その断面中間部において互いに圧接されていると共に、その断面先端部において前記ガスケット（７）の裏面にそれぞれ圧接されていることを特徴とする外壁パネルの目地防水構造。
　　【請求項２】　面一状に隣接する外壁パネル（１）（１）間に形成した目地（６）内に、一次防水用のガスケット（７）が前記外壁パネル（１）の表面側から装填され、このガスケット（７）の裏面側を、前記外壁パネル（１）にそれぞれ取付けたバックガード（４）（４）と互いに圧接させることにより二次防水されている外壁パネルの目地防水構造において、
　前記バックガード（４）は、板状基部（４Ａ）とその目地（６）側に突出するリップ部（４Ｂ）とを備え、板状基部（４Ａ）が前記各外壁パネル（１）の目地（６）側端縁に形成された溝形の凹所（１８）に嵌装され、
前記ガスケット（７）は内部に芯材（１９）が埋入された中央基部（７Ａ）を裏面側に備え、目地幅（Ｗ）の半分以上の長さで
の中央基部（１８）
【発明の詳細な説明】
　【０００１】
　　【産業上の利用分野】
　本発明は、外壁パネルの目地防水構造に関する。
　【０００２】
　　【従来の技術】
　住宅建物等の建築形態の一つとして、建物の外壁を面一状に並設した複数の外壁パネルにより構成する場合がある。このような外壁構造では、建物本体に対する寸法許容性を確保すべく、隣接する外壁パネル間に目地を設けるのが通常であり、このため目地からの雨水の侵入防止が重要な課題となる。
　【０００３】
　図５は、かかる外壁パネルの目地防水構造の従来例を示している。同図において、各外壁パネル２０は裏面縁部に金属フレーム２１を有し、この外壁パネル２０を面一状に隣接させて配置することで目地２２が形成され、この目地２２内に、長尺のガスケット２３が外壁パネル２０の表面側から装填されている。
　各金属フレーム２１における目地２２側の側面には、断面ｂ字状のバックガード２４がそれぞれ固着されており、この一対のバックガード２４，２４の腹側を目地２２の裏面側で互いに圧接させることにより、ガスケット２３の裏面側が二次防水されている。
　【０００４】
　従って、この目地防水構造によれば、ガスケット２３の裏面側に万一雨水が侵入しても、バックガード２４がその雨水を遮断するため、外壁パネル２０裏面側にある金属フレーム２１等の構造部材の浸食を防止できるとされている（実開平４−８２２０３号公報参照）。
　【０００５】
　　【発明が解決しようとする課題】
　しかしながら、上記従来の技術では、断面ｂ字状のバックガード２４を目地幅Ｗ方向で圧接させることのみによってガスケット２３の裏面側の二次防水を行っているので、例えば図９（ａ）（ｂ）に示す如く、目地幅Ｗの広狭によってバックガード２４の圧接力が変化し、特に目地幅Ｗが広すぎて圧接力が小さい場合には有効な二次防水機能が果たせないというおそれがある。
　【０００６】
　また、上記従来の技術では、バックガード２４を金属フレーム２１の側面に固着しているため、金属フレーム２１の取り付けられていない薄肉タイプの外壁パネル２０には適用できないという欠点もある。
　本発明は、このような実情に鑑み、目地幅が変化しても安定した二次防水機能を確保でき、しかも薄肉タイプの外壁パネルにも適用しうる外壁パネルの目地防水構造を提供することを目的とする。
　【０００７】
　　【課題を解決するための手段】
　上記目的を達成すべく、本発明が講じた技術的手段は、次のとおりである。即ち請求項１の発明は面一状に隣接する外壁パネル１，１間に形成した目地６内に、一次防水用のガスケット７が前記外壁パネル１の表面側から装填され、このガスケット７の裏面側が、前記外壁パネル１にそれぞれ取り付けたバックガード４を互いに圧接させることにより二次防水されている外壁パネルの目地防水構造において、
　前記各バックガード４，４は、断面形状が前記目地６側に凸の湾曲片状を呈し、かつその断面基端部が前記外壁パネル１の目地６側端縁裏面側にそれぞれ固着され、当該各バックガード４，４は、その断面中間部において互いに圧接されていると共に、その断面先端部において前記ガスケット７の裏面にそれぞれ圧接されていることを特徴としている。
　【０００８】
　また、請求項２の発明は、面一状に隣接する外壁パネル１，１間に形成した目地６内に、一次防水用のガスケット７が前記外壁パネル１の表面側から装填され、このガスケット７の裏面側を、前記外壁パネル１にそれぞれ取付けたバックガード４，４と互いに圧接させることにより二次防水されている外壁パネルの目地防水構造において、
　前記バックガード４は、板状基部４Ａとその目地６側に突出するリップ部４Ｂとを備え、板状基部４Ａが前記各外壁パネル１の目地６側端縁に形成された溝形の凹所１８に嵌装され、
前記ガスケット７は内部に芯材１９が埋入された中央基部７Ａを裏面側に備え、目地幅Ｗの半分以上の長さで
の中央基部７Ａ
　【０００９】
　　【作用】
　請求項１の発明によれば、ガスケット７は目地６の一次防水を行い、バックガード４はガスケット７の裏面側で二次防水を行う。バックガード４は断面中間部で互いに圧接されているのみならず、断面先端部においてガスケット７の裏面に圧接されているので、ガスケット７を目地６内に強く挿入させると、目地幅Ｗの変化に拘わらず、ガスケット７とバックガード４との圧接状態が維持される。
　【００１０】
　また、請求項２の発明によれば、ガスケット７は目地の一次防水を行い、バックガード４はガスケット７の裏面側で二次防水を行う。即ち、
目地幅Ｗの半分以上の長さで突出している
内部に芯材１９を有する中央基部７Ａの
　【００１１】
　　【実施例】
　以下、図面に基づいて本発明の実施例について詳述する。
　図１〜図３は、請求項１の発明の第一実施例を示している。同図において、１は本実施例で採用した外壁パネルを示し、この外壁パネル１は、木質の合板２の表面に、窯業系押出材又は時硬性材料等よりなる外装材３を貼着してなり、その端縁裏面側の合板２部分に二次防水用のバックガード４を有すると共に、端縁表面側の外装材３部分に面取り加工によるテーパ面５を有している。
　【００１２】
　建物の外壁は、上記外壁パネル１を面一状に並設して構成されるようになっていて、この際面一状に隣接する外壁パネル１，１間で形成した目地６内に、一次防水用のガスケット７が外壁パネル１の表面側より装填されている。
　上記ガスケット７は、合成ゴム等の弾性を有する樹脂材料よりなる長尺物で、断面Ｉ形の中央基部８と、この中央基部８の左右両側に設けた二対の止水片９，１０とを一体に備えている。この両止水片９，１０の中間部は、中間片１１で互いに連結され、これにより、中央基部１０の左右両側に中空筒部１２が形成されている。なお、中央基部１０の表面側は幅広の平頭部１３とされ、裏面側は前記バックガード４の接当部１４とされている。
　【００１３】
　バックガード４は、上記ガスケット７と同様に合成ゴム等の弾性を有する樹脂材料よりなる長尺物で、断面形状が目地６側に凸の湾曲片状を呈し、その断面基端側に外壁パネル１との取付部１５を一体に有していると共に、この取付部１５を合板２端縁に接着剤に固着することにより、外壁パネル１の目地６側端縁に沿って延設されている。
　【００１４】
　そして、このバックガード４は、その断面基端部が外壁パネル１の目地６側端縁の裏面側、即ち、合板２の断面コーナ部に位置するように固定されていると共に、目地６内の各バックガード４，４は、その断面中間部において目地幅Ｗ方向に互いに圧接されている。
　また、このバックガード４の断面先端部は、外壁パネル１の表面側から挿入される前記ガスケット７の接当部１４にそれぞれ圧接されている。
　【００１５】
　なお、第一実施例では、上記バックガード４の取付部１５は合板２厚よりも幅広であり、この取付部１５で目地６内の合板２端縁を全て被覆することにより、木質材料である合板２の腐食を防止している。
　上記構成に係る第一実施例によれば、二次防水用としてのバックガード４が、その断面中間部で目地幅６方向に圧接されているだけでなく、断面先端部でガスケット７の接当部１４に圧接されているので、図１〜図３に示すように目地幅Ｗが変化した場合でも、ガスケット７をバックガード４に押し付けるだけで、目地６内の二次防水機能を有効に確保することができる。
　【００１６】
　また、第一実施例によれば、弾性を有する樹脂材料よりなるガスケット７をその裏面側からバックガード４で圧接するようにしているため、バックガード４がガスケット７挿入時における位置決め部材としての役割を果たし、図１から図３に示すようなガスケット４の表面が外壁パネル１の表面よりへこんだ底目地仕様の場合でも、当該目地６内の二重防水機能を十分確保できると共に、ガスケット４の挿入位置を調節することによって、その底目地の意匠性を向上させることができる。
　【００１７】
　更に、第一実施例によれば、湾曲片状のバックガード４の断面基端部を外壁パネル１の目地６側端縁裏面側に固着しているので、従来の金属フレーム等を必要とせず、薄肉タイプの外壁パネル１にも適用可能である。
　次に、図４は、請求項１の発明の第二実施例を示している。
　第二実施例では、外壁パネル６間の目地６内に、バルコニー等を支持するための鋼製の腕部材１６が挿入されていて、この腕部材１６は、外壁パネル６の裏面側に立設した柱ピース１７に片持ち状に固定され、目地６内を通過して外壁パネル６の外方に延設されている。
　【００１８】
　従って、各バックガード４，４は、腕部材１６を介して互いに圧接されていて、その断面先端部が、目地６内でかつ腕部材１６の両側に介装した湿式のコーキング材（ガスケット）７の裏面にそれぞれ圧着されている。
　図５〜図８は、請求項２の発明の実施例を示している。同図において、外壁パネル１は木質フレーム２Ａの表面に窯業系押出材又は時硬性材料等よりなる外装材３を貼着してなり、そのフレーム２Ａには目地６側端縁に外装材３との境界に位置して、外装材３板面と平行な溝形のバックガード嵌装凹所１８が設けられ、該凹所１８にバックガード４が嵌装される。
　【００１９】
　建物の外壁は、前記第一実施例と同様に、外壁パネル１を面一状に並設して構成され、隣接する外壁パネル１，１間に形成される目地６内に、一次防水用の底目地ガスケット７が外壁パネル１の表面側より装填されている。
　前記バックガード４は、合成樹脂材料（例えばＰＶＣ）により成形された長尺物で、図７にその断面形状を示しているが、硬質の板状基部４Ａと、その幅方向一端に延出された軟質（弾性を有する）のリップ部４Ｂと、前記基部４Ａの外装材３側に突設した３条の防水パッド４Ｃと、防水パッド４Ｃの反対側面に傾斜状に突設された３条の軟質抜け防止リップ４Ｄとから成っており、前記リップ部４Ｂの突出長さは目地幅Ｗの半分以上（例えば３０％増）とされ、図８に示すように、リップ部４Ｂが互いに衝当して裏面側に弯曲するようにしてある。
　【００２０】
　なお、バックガード４の板状基部４Ａの一角隅を面取り４Ｅして、前記凹所１８に嵌装した際、接着剤ポケット１８Ａが形成されるようにしてあり、外装材３とフレーム２Ａの接合接着剤のはみだしがあっても、バックガード４の嵌装に支障をきたさないようになっている。そして、該バックガード４は、外壁パネル１の製造時に取付けられる。
　【００２１】
　前記ガスケット７は、合成ゴム等の弾性を有する樹脂材料よりなる長尺物で、図６に示すように断面略Ｉ形に折曲された金属板製の芯材１９が埋入された中央基部７Ａと、該基部７Ａの左右両側に設けた二対のリップ状止水片７Ｂ，７Ｃとが一体的に形成され、端部の表面側となる止水片７Ｂは略平板状の平頭を形成している。
　【００２２】
　そして、ガスケット７の止水片７Ｃから裏面側の中央基部端は挿入ヘッド７Ｈとされ、左右両端面に複数条の抜け止め突条７Ｄが突設されており、該突条７Ｄにバックガード４のリップ部４Ｂ先端が係止され、ガスケット７の抜け防止と止水機能を果たしている。なお、前記止水片７Ｂの表面には、変退色性・耐候劣化性及び耐酸性を向上させるためのライング７Ｅ（例えば塩素化ポリエチレン）が施されている。また、前記止水片７Ｃの裏面側は、バックガード４のリップ部４Ｂの接当面とされている。
　しかして、本実施例では、目地６側に突出するリップ部４Ｂ，４Ｂ間にこれらが裏面側に弯曲するようにガスケット７が挿入され、このガスケット７裏面側の両側面に、裏面側に弯曲している各リップ部４Ｂ，４Ｂが圧接され、この圧接によって二次防水機能を確保するようにしている（図５参照）。
　【００２３】
　請求項２の発明の実施例によれば、二次防水用としてのバックガード４のリップ部４Ｂが、ガスケット７の止水片７Ｃ裏面側に圧接されると共に、リップ部４Ｂ先端が中央基部７Ａの抜け止め突条７Ｄに係止されかつ圧接されているので、二次防止機能を確保できるうえ、目地幅Ｗが変化した場合でも、ガスケット７の止水片７Ｃの裏面にバックガード４のリップ部４Ｂが確実に圧接され、或いはガスケット７の止水片７Ｂ，７Ｃ及びバックガード４のリップ部４Ｂの弾性による弯曲によって圧接され、二次防水機能を有効に確保することができる。
　【００２４】
　また、本実施例によれば、外壁パネル１の凹所１８にバックガード４を嵌入するようにしているので、バックガード４の取付が容易であるとともに取付精度を向上でき、しかも取付後のバックガード４の脱落を有効に防止できる。
　また、本実施例によれば、ガスケット７を目地６に挿入する際、バックガード４の両リップ部４Ｂがガスケット７の挿入ヘッド７Ｈのガイドの役目をなし、ガスケット７の転びを防止して施工性を向上させると共に目地仕上げ外観を良好にすることができる。
　【００２５】
　そして、目地６の幅Ｗが外壁パネル１の伸縮により変化すると、ガスケット７の内部応力による力が図５に矢印（イ）で示す方向に作用するが、ガスケット７の抜け止め突条７Ｄがバックガード４のリップ部４Ｂ先端に係止されているので、前記内部応力による力を支持し、ガスケット７の自然脱落を防止でき、長期的に防水性能を確保することができる。
　【００２６】
　なお、ガスケット７内に芯材１９を埋入しているので、目地の直進性及び形状を確保でき、外力による局部陥没を防げる利点もある。
　なお、上記請求項２の発明にあっても、薄肉タイプの外壁パネルにも適用可能であり、底目地以外の目地にも採用できる。
　本発明は、上記各実施例に限定されるものではなく、横方向及び縦方向のいずれの目地にも採用できること勿論である。
　【００２７】
　　【発明の効果】
　以上説明したように、本発明（請求項１及び２）によれば、目地幅Ｗの変化に拘らずガスケット７とバックガード４との圧接により止水状態を維持できるので、目地幅Ｗが変化しても安定した二次防水機能を確保することができる。
　また、本発明（請求項１及び２）によれば、バックガード４を外壁パネル１に直接取り付けているので、従来の金属フレームを有しない薄肉タイプの外壁パネル１にも適用でき、目地防水施工の帆用性をより向上させることができる。
　【００２８】
　さらに、請求項２の発明によれば、外壁パネル１の凹所１８にバックガード４を嵌入するようにしているので、バックガード４の取付が容易であるとともに取付精度を向上でき、しかも取付後のバックガード４の脱落を有効に防止できる。
【図面の簡単な説明】
　　【図１】
　請求項１の発明の第一実施例に係る外壁パネルの目地防水構造の断面図であり、（ａ）はガスケットの挿入前、（ｂ）は挿入後を示す。
　　【図２】
　同断面図である。
　　【図３】
　同断面図である。
　　【図４】
　請求項１の発明の第二実施例に係る外壁パネルの目地防水構造の断面図である。
　　【図５】
　請求項２の発明の実施例を示す断面図である。
　　【図６】
　同実施例におけるガスケットの断面図である。
　　【図７】
　同実施例におけるバックガードの断面図である。
　　【図８】
　同実施例におけるガスケット挿入状態を示す断面図である。
　　【図９】
　従来の目地防水構造の断面図である。
　　【符号の説明】
　　１　　　外壁パネル
　　４　　　バックガード
　４Ａ　　　板条基部
　４Ｂ　　　リップ部
　　６　　　目地
　　７　　　ガスケット
　１８　　　凹所